(57)【要約】【課題】  簡易的かつ安価な構造でありながら、パネル体の厚さやパネル体同士の連結形態に柔軟に対応さることができるようにしたパネル体間の隙間閉塞部材を提供する。【解決手段】  前後の把持片７の対向面である内側面７ａに、板状基片６から左右方向に離間した位置に突起状係止部８を設けるとともに、この対向する突起状係止部８間の幅Ｗ１を、パネル体４の厚さＴよりも小さくすることによって、パネル体端部４ａを突起状係止部８に当接、または近接させて配置する第一形態と、前後の把持片７を外方に弾性変形させて、パネル体端部４ａを板状基片６の側面に当接、または近接させて配置する第二形態との二つの態様で閉塞しうるようにする。【選択図】    図２
2010090604.tif 000002
【特許請求の範囲】
【請求項１】
前後方向を向く板状基片の前後端部から左右方向に向かって、互いに対向する前後１対の把持片を、それぞれ延設することによって、前後の把持片間にパネル挿入空間を形成し、この左右のパネル挿入空間に、隣接するパネル体の各端部を、それぞれ挿入することによって、パネル体端部間の隙間を閉塞する隙間閉塞部材であって、
前後の把持片の対向面である内側面に、前記板状基片から左右方向に離間した位置に突起状係止部を設けるとともに、この対向する突起状係止部間の幅を、パネル体の厚さよりも小さくすることによって、パネル体端部を突起状係止部に当接、または近接させて配置する第一形態と、前後の把持片を外方に弾性変形させて、パネル体端部を板状基片の側面に当接、または近接させて配置する第二形態との二つの態様で閉塞しうるようにしたことを特徴とするパネル体間の隙間閉塞部材。
【請求項２】
前後方向を向く板状基片の前後端部から左右方向に向かって、互いに対向する前後１対の把持片を、それぞれ延設することによって、前後の把持片間にパネル挿入空間を形成し、この左右のパネル挿入空間に、隣接するパネル体の各端部を、それぞれ挿入することによって、パネル体端部間の隙間を閉塞する隙間閉塞部材であって、
前後の把持片の対向面である内側面に、左右方向の外側に向かう舌片状係止部を、その遊端が前記板状基片から左右方向に離間した位置となるように設けるとともに、この対向する舌片状係止部間の幅を、パネル体の厚さよりも小さくすることによって、パネル体端部を舌片状係止部に当接、または近接させて配置する第一形態と、前後の把持片を外方に弾性変形させて、パネル体端部を板状基片の側面に当接、または近接させて配置する第二形態との二つの態様で閉塞しうるようにしたことを特徴とするパネル体間の隙間閉塞部材。
【請求項３】
左右に隣接する把持片によって形成された隙間閉塞部材としての前後面の少なくとも一方に、パネル体の厚さにほぼ相当する間隔をもって、１対の突起状係止部を設けた請求項１または２記載のパネル体間の隙間閉塞部材。
【請求項４】
前後の把持片の遊端間の幅を、パネル体の厚さよりも小さくすることにより、把持片を弾性変形させて、パネル体端部をパネル挿入空間に挿入し、前記遊端をパネル体の側面に当接させるようにした請求項１〜３のいずれかに記載のパネル体間の隙間閉塞部材。
【請求項５】
左右に隣接する把持片によって形成された隙間閉塞部材としての前後面を、左右方向の中央部が前後方向の外方に向かって突出する円弧形状に形成した請求項１〜４のいずれかに記載のパネル体間の隙間閉塞部材。
【請求項６】
前後方向を向く板状基片の前後端部から左右方向の一方に向かって、互いに対向する前後１対の把持片を延設してなる平面視コ字状の１対の部材を、各部材における板状基片と把持片との交差部の一方のみを、相互に連結させた形状とするとともに、各部材の把持片間と板状基片とによって形成された空間を、パネル挿入空間とし、このパネル挿入空間に端部が挿入された隣接するパネル体間の隙間を閉塞しうるようにしたことを特徴とするパネル体間の隙間閉塞部材。
【請求項７】
各部材における把持片の対向面である内側面に、板状基片から外方に向けて離間した位置に突起状係止部を設けるとともに、この対向する突起状係止部間の幅を、パネル体の厚さよりも小さくすることによって、パネル体端部を突起状係止部に当接、または近接させて配置する第一形態と、各把持片を外方に弾性変形させて、パネル体端部を板状基片の側面に当接、または近接させて配置する第二形態との二つの態様で閉塞しうるようにした請求項６記載のパネル体間の隙間閉塞部材。
【請求項８】
各部材における把持片の対向面である内側面に、把持片の遊端方向を向く舌片状係止部を、その遊端が板状基片から外方に向けて離間した位置となるように設けるとともに、この対向する舌片状係止部間の幅を、パネル体の厚さよりも小さくすることによって、パネル体端部を舌片状係止部に当接、または近接させて配置する第一形態と、前後の把持片を外方に弾性変形させて、パネル体端部を板状基片の側面に当接、または近接させて配置する第二形態との二つの態様で閉塞しうるようにした請求項６記載のパネル体間の隙間閉塞部材。
【発明の詳細な説明】
【技術分野】
【０００１】
本発明は、例えばワークステーションにおける机やテーブル等の間を区画するための隣接する間仕切パネル上に立設される補助パネルなどのパネル体間の隙間閉塞部材に関する。
【背景技術】
【０００２】
机やテーブル等の間を区画する間仕切パネル上には、例えば薄肉の不透明または半透明の合成樹脂（アクリル等）やガラス等により形成された目隠し用の補助パネルを立設することにより、個々の執務空間の使い勝手が良好となるようにしたものがある。
【０００３】
しかし、間仕切パネルの上面に補助パネルを立設状態で支持する場合、例えば間仕切パネルの上面に嵌合溝を形成し、この嵌合溝内に補助パネルの下端を差し込むようにした、簡易な支持構造となっており、補助パネルを間仕切パネル上に垂直に立設することが困難となるため、隣接する補助パネル同士の間に隙間が生じ易くなり、この隙間から光漏れが発生して、体裁を悪化させるばかりでなく、個々に区画された執務空間における密閉感を損なってしまうことがある。
【０００４】
隣接するパネル体間を連結する連結部材としては、円管状の主体部における左右側面に、上下方向を向く凹溝状の係合部をそれぞれ形成し、この左右の係合部に、パネル体端部を係合させるように構成したものが公知である（特許文献１参照）。
【０００５】
しかし、特許文献１に記載された連結部材では、簡易的かつ安価な構成をもって、パネル体間の隙間を閉塞しうるように連結することが可能であるが、左右の係合部に係合されるパネル体の厚さに対する柔軟性がなく、パネル体の厚さに応じた連結部材を用いなければならず、薄肉のパネル体間の連結には不向きであり、しかも、パネル体同士の連結形態にも柔軟に対応することができないという問題があった。
【特許文献１】特開平９−３２８８４６号公報
【発明の開示】
【発明が解決しようとする課題】
【０００６】
本発明は、前記の現状に鑑み、複雑な構造でなく、低コストで製造しうるようにするとともに、パネル体の厚さやパネル体同士の連結形態に柔軟に対応させることができるようにしたパネル体間の隙間閉塞部材を提供することを目的としている。
【課題を解決するための手段】
【０００７】
上記課題は、「特許請求の範囲」における各請求項に示すように、次のように構成からなる発明によって解決される。
【０００８】
（１）前後方向を向く板状基片の前後端部から左右方向に向かって、互いに対向する前後１対の把持片を、それぞれ延設することによって、前後の把持片間にパネル挿入空間を形成し、この左右のパネル挿入空間に、隣接するパネル体の各端部を、それぞれ挿入することによって、パネル体端部間の隙間を閉塞する隙間閉塞部材であって、前後の把持片の対向面である内側面に、前記板状基片から左右方向に離間した位置に突起状係止部を設けるとともに、この対向する突起状係止部間の幅を、パネル体の厚さよりも小さくすることによって、パネル体端部を突起状係止部に当接、または近接させて配置する第一形態と、前後の把持片を外方に弾性変形させて、パネル体端部を板状基片の側面に当接、または近接させて配置する第二形態との二つの態様で閉塞しうるようにする。
【０００９】
（２）前後方向を向く板状基片の前後端部から左右方向に向かって、互いに対向する前後１対の把持片を、それぞれ延設することによって、前後の把持片間にパネル挿入空間を形成し、この左右のパネル挿入空間に、隣接するパネル体の各端部を、それぞれ挿入することによって、パネル体端部間の隙間を閉塞する隙間閉塞部材であって、前後の把持片の対向面である内側面に、左右方向の外側に向かう舌片状係止部を、その遊端が前記板状基片から左右方向に離間した位置となるように設けるとともに、この対向する舌片状係止部間の幅を、パネル体の厚さよりも小さくすることによって、パネル体端部を舌片状係止部に当接、または近接させて配置する第一形態と、前後の把持片を外方に弾性変形させて、パネル体端部を板状基片の側面に当接、または近接させて配置する第二形態との二つの態様で閉塞しうるようにする。
【００１０】
（３）上記（１）項または（２）項において、左右に隣接する把持片によって形成された隙間閉塞部材としての前後面の少なくとも一方に、パネル体の厚さにほぼ相当する間隔をもって、１対の突起状係止部を設ける。
【００１１】
（４）上記（１）〜（３）項のいずれかにおいて、前後の把持片の遊端間の幅を、パネル体の厚さよりも小さくすることにより、把持片を弾性変形させて、パネル体端部をパネル挿入空間に挿入し、前記遊端をパネル体の側面に当接させるようにする。
【００１２】
（５）上記（１）〜（４）項のいずれかにおいて、左右に隣接する把持片によって形成された隙間閉塞部材としての前後面を、左右方向の中央部が前後方向の外方に向かって突出する円弧形状に形成する。
【００１３】
（６）前後方向を向く板状基片の前後端部から左右方向の一方に向かって、互いに対向する前後１対の把持片を延設してなる平面視コ字状の１対の部材を、各部材における板状基片と把持片との交差部の一方のみを、相互に連結させた形状とするとともに、各部材の把持片間と板状基片とによって形成された空間を、パネル挿入空間とし、このパネル挿入空間に端部が挿入された隣接するパネル体間の隙間を閉塞しうるようにする。
【００１４】
（７）上記（６）項において、各部材における把持片の対向面である内側面に、板状基片から外方に向けて離間した位置に突起状係止部を設けるとともに、この対向する突起状係止部間の幅を、パネル体の厚さよりも小さくすることによって、パネル体端部を突起状係止部に当接、または近接させて配置する第一形態と、各把持片を外方に弾性変形させて、パネル体端部を板状基片の側面に当接、または近接させて配置する第二形態との二つの態様で閉塞しうるようにする。
【００１５】
（８）上記（６）項において、各部材における把持片の対向面である内側面に、把持片の遊端方向を向く舌片状係止部を、その遊端が板状基片から外方に向けて離間した位置となるように設けるとともに、この対向する舌片状係止部間の幅を、パネル体の厚さよりも小さくすることによって、パネル体端部を舌片状係止部に当接、または近接させて配置する第一形態と、前後の把持片を外方に弾性変形させて、パネル体端部を板状基片の側面に当接、または近接させて配置する第二形態との二つの態様で閉塞しうるようにする。
【発明の効果】
【００１６】
請求項１記載の発明によれば、前後の把持片の対向面である内側面に、左右方向の外側に向かう突起状係止部を、その遊端が前記板状基片から左右方向に離間した位置となるように設けるとともに、この対向する突起状係止部間の幅を、パネル体の厚さよりも小さくすることによって、パネル体端部を突起状係止部に当接、または近接させて配置する第一形態と、前後の把持片を外方に弾性変形させて、パネル体端部を板状基片の側面に当接、または近接させて配置する第二形態との二つの態様で閉塞しうるようにしてあるので、複雑な構造でなく、低コストで製造しうることができ、パネル体の厚さやパネル体同士の連結形態に柔軟に対応させることができる。
【００１７】
請求項２記載の発明によれば、前記請求項１と同様の効果を、一層有効に奏することができる。
【００１８】
請求項３記載の発明によれば、左右に隣接する把持片によって形成された隙間閉塞部材としての前後面の少なくとも一方に、パネル体の厚さにほぼ相当する間隔をもって、１対の突起状係止部を設けてあるので、隣接するパネル体間を連結する隙間閉塞部材の前後面に、他のパネル体の端部を、隙間が突起状係止部によって閉塞されるように、直交させて当接させることができる。
【００１９】
請求項４記載の発明によれば、前後の把持片の遊端間の幅を、パネル体の厚さよりも小さくすることにより、把持片を弾性変形させて、パネル体端部をパネル挿入空間に挿入し、遊端をパネル体の側面に当接させるようにしてあるので、パネル体の厚さに柔軟に対応させることができる。
【００２０】
請求項５記載の発明によれば、左右に隣接する把持片によって形成された隙間閉塞部材としての前後面を、左右方向の中央部が前後方向の外方に向かって突出する円弧形状に形成してあるので、隙間閉塞部材の前後面の肉厚を、各把持片の遊端に向けて漸次薄くなり、パネル体間の連結部分の見栄えが良くなり、体裁を良好にすることができる
【００２１】
請求項６記載の発明によれば、前後方向を向く板状基片の前後端部から左右方向の一方に向かって、互いに対向する前後１対の把持片を延設してなる平面視コ字状の１対の部材を、各部材における板状基片と把持片との交差部の一方のみを、相互に連結させた形状とするとともに、各部材の把持片間と板状基片とによって形成された空間を、パネル挿入空間とし、このパネル挿入空間に端部が挿入された隣接するパネル体間の隙間を閉塞しうるようにしてあるため、複雑な構造でなく、低コストで製造しうることができるとともに、パネル体の厚さやパネル体同士の連結形態、特に、コーナー部などにおいて、パネル体同士を連結する際に、隣接するパネル体間の角度に柔軟に対応するように調整することができる。
【００２２】
請求項７記載の発明によれば、各部材における把持片の対向面である内側面に、板状基片から外方に向けて離間した位置に突起状係止部を設けるとともに、この対向する突起状係止部間の幅を、パネル体の厚さよりも小さくすることによって、パネル体端部を突起状係止部に当接、または近接させて配置する第一形態と、各把持片を外方に弾性変形させて、パネル体端部を板状基片の側面に当接、または近接させて配置する第二形態との二つの態様で閉塞しうるようにしてあるため、前記請求項６と同様な効果を奏することができるとともに、互いに隣接するパネル体同士間の隙間を体裁よく閉塞することができ、かつパネル体の厚さにも柔軟に対応させることができる。
【００２３】
請求項８記載の発明によれば、前記請求項７と同様な効果を奏することができる。
【発明を実施するための最良の形態】
【００２４】
以下、本発明の実施形態を、図面に基づいて説明する。
図１は、本発明における第１実施形態のパネル体間の隙間閉塞部材を適用したデスクのワークステーションの斜視図、図２は、図１のII−II線におけるパネル体間の閉塞形態を示す要部拡大横断面図、図３は、隙間閉塞部材を一部拡大して示す斜視図である。
なお、図１において、右上から左下を「前後方向」、左上から右下を「左右方向」として説明する。
【００２５】
図１に示すように、ワークステーション１は、例えば２つの机２，２同士を前後に突合わせて配置するとともに、互いに前後に隣接する机２，２間、および各机２の周辺を、それぞれ間仕切パネル３により区画して形成されている。
【００２６】
各間仕切パネル３の上面には、例えば薄肉の不透明または半透明の合成樹脂（アクリル等）やガラス等により形成された目隠し用のパネル体４が立設されているとともに、例えば左右に隣接する間仕切パネル３，３同士のパネル体４，４間は、例えばエラストマーの押出し成形材からなる隙間閉塞部材５によって連結されている。
【００２７】
隙間閉塞部材５は、図２および図３に拡大して示すように、前後方向を向く板状基片６と、この板状基片６の前後端部から左右方向に向かって互いに対向させて延設した前後１対の把持片７，７と、この前後の把持片７，７の対向面である内側面７ａ，７ａに設けた上下方向の突起状係止部８，８とより構成されている。
【００２８】
前後の各把持片７間は、それらの遊端７ｂ間を開口させた、平面視コ字状をなすパネル挿入空間９，９となっているとともに、左右に隣接する前後１対の把持片７，７の外側面７ｃ，７ｃによって形成された隙間閉塞部材５としての前後面は、左右方向の中央部が前後方向の外方に向かって突出する円弧形状に形成されている。
【００２９】
各突起状係止部８は、前記板状基片６から左右方向に離間した位置に設けられている。
この各突起状係止部８間の幅Ｗ１および各把持片７における遊端７ｂの開口幅Ｗ２は、パネル体４の厚さＴよりも小さく（Ｗ１、Ｗ２＜Ｔ）なっている。
【００３０】
隙間閉塞部材５は、隣接する各パネル体４における端部４ａ間に上方から挿入されて、前記パネル体４間の隙間ａを閉塞する。
この場合、各把持片７の遊端７ｂを、パネル体４の厚さＴに応じて、適宜外方に弾性変形させて、パネル体４の端部４ａを板状基片６の側面に当接、または近接させた形態をもって挿入される（図２参照）。
【００３１】
図４は、前記隙間閉塞部材５によるパネル体４，４間の他の閉塞形態を示す要部拡大横断面図である。
【００３２】
図４に示すように、隣接するパネル体４の端部４ａ間の間隙ａが広い場合においては、パネル体４の端部４ａが突起状係止部８に当接、または近接して位置しうるような形態をもって挿入される。
【００３３】
図５は、本発明における第２実施形態の隙間閉塞部材を適用した図１におけるＶ−Ｖ線の要部拡大横断面図である。
【００３４】
本実施形態の隙間閉塞部材は、図５に示すように、前記第１実施形態と同形の隙間閉塞部材５において、前記隙間閉塞部材５としての前後面における左右方向の中央部に、パネル体４の厚さＴにほぼ相当する間隔ｂをもって、１対の突起状係止部１０，１０を突設してなる構成を有する。
この隙間閉塞部材５は、前後方向に隣接する各パネル体４の端部４ａ間を連結するとともに、これらのパネル体４と直交しうるように突き当てられる他のパネル体４の端部４ａが、前記各突起状係止部１０間に当接、または近接して配置される。
【００３５】
図６は、本発明における第３実施形態の隙間閉塞部材によるパネル体間の閉塞形態を示す要部拡大横断面図である。
【００３６】
本実施形態の隙間閉塞部材１１は、図６に示すように、前記第１実施形態における隙間閉塞部材５の突起状係止部８に代えて、板状基片１２の前後端部から左右方向に延設した前後の把持片１３の内側面１３ａに、舌片状係止部１４を張り出させるとともに、この舌片状係止部１４の遊端１４ａが、パネル挿入空間１５の板状基片１２から左右方向に離間した位置となるように構成されている。
隙間閉塞部材１１は、隣接する各パネル体４の端部４ａ間に上方から挿入されて、前記パネル体４間の隙間ａを閉塞する。
この場合、各把持片１３の遊端１３ｂを、パネル体４の厚さＴに応じて外方に弾性変形させて、パネル体４の端部４ａが板状基片１２の側面に当接、または近接させた形態をもって挿入される。
【００３７】
図７は、前記隙間閉塞部材１１によるパネル体４，４間の他の閉塞形態を示す要部拡大横断面図である。
【００３８】
本閉塞形態においては、図７に示すように、パネル体４の端部４ａが舌片状係止部１４の遊端１４ａに当接、または近接して位置しうるような形態をもって挿入される。
【００３９】
図８は、本発明における第４実施形態の隙間閉塞部材によるパネル体間の閉塞形態を示す要部拡大横断面図である。
【００４０】
本実施形態では、図８に示すように、隙間閉塞部材１６を、前後方向を向く板状基片１７の前後端部から左右方向の一方に向かって、互いに対向する前後１対の把持片１８，１８を延設してなる平面視コ字状の１対の部材１９，１９を、各部材１９における板状基片１７と把持片１８との交差部の一方のみを基部２０として、相互に連結させた形状とするとともに、各部材１９の板状基片１７と把持片１８間とによって形成された空間を、パネル挿入空間２１としている。
隙間閉塞部材１６は、隣接する各パネル体４の端部４ａ間に上方から挿入されて、前記パネル体４間の隙間ａを閉塞する。
この場合、各把持片１８の遊端１８ａを、パネル体４の厚さＴに応じて外方に弾性変形させて、パネル体４の側面を、各把持片１８の対向面である内側面に設けた突起状係止部２２，２２に当接させるとともに、パネル体４の端部４ａが板状基片１７の側面に当接、または近接させた形態をもって挿入される。
【００４１】
図９は、前記隙間閉塞部材１６によるパネル体４，４間の他の閉塞形態を示す要部拡大横断面図である。
【００４２】
本閉塞形態では、図９に示すように、パネル体４の端部４ａが、各突起状係止部２２に当接、または近接して位置しうるような形態をもって挿入されるようになっている。
【００４３】
図１０は、本発明における第４実施形態の隙間閉塞部材によるパネル体間の閉塞形態を示す要部拡大横断面図である。
【００４４】
本実施形態の隙間閉塞部材２３は、図１０に示すように、前記第３実施形態における隙間閉塞部材１６の各突起状係止部２２に代えて、パネル挿入空間２４を形成する各把持片２５の内側面に、舌片状係止部２６を、それぞれ対向させて張り出させるとともに、この各舌片状係止部２６の遊端２６ａが、基部２７で連結された各部材２８の板状基片２９から離間した位置に設けられている。
隙間閉塞部材２３は、隣接する各パネル体４の端部４ａ間に上方から挿入されて、前記パネル体４間の隙間ａを閉塞する。
この場合、各把持片２５の遊端２５ａを、パネル体４の厚さＴに応じて外方に弾性変形させて、パネル体４の側面を、各把持片２５の対向面である内側面に設けた舌片状係止部２６の遊端２６ａに当接させるとともに、パネル体４の端部４ａが板状基片２９の側面に当接、または近接させた形態をもって挿入される。
【００４５】
図１１は、前記隙間閉塞部材２３によるパネル体４，４間の他の閉塞形態を示す要部拡大横断面図である。
【００４６】
本閉塞形態では、図１１に示すように、パネル体４の端部４ａが各舌状係止部２６の遊端２６ａに当接、または近接して位置しうるような形態をもって挿入されるようになっている。
【００４７】
図１２は、本発明における第６実施形態の隙間閉塞部材によるパネル体間の閉塞形態を示す要部拡大横断面図である。
【００４８】
本実施形態では、図１２に示すように、前記第４実施形態の隙間閉塞部材１６における突起状係止部２２および第５実施形態の隙間閉塞部材２３における舌片状係止部２６を取り除いて、隙間閉塞部材３０を構成したものであり、各部材３１の板状基片３２と把持片３３間とによって形成されたパネル挿入空間３４によって、隣接するパネル体４の端部４ａを連結し、パネル体４間の隙間ａを閉塞しうるようになっている。
【図面の簡単な説明】
【００４９】
【図１】本発明における第１実施形態のパネル体間の隙間閉塞部材を適用したデスクのワークステーションの斜視図である。
【図２】図１のII−II線におけるパネル体間の閉塞形態を示す要部拡大横断面図である。
【図３】隙間閉塞部材を一部拡大して示す斜視図である。
【図４】隙間閉塞部材によるパネル体間の他の閉塞形態を示す要部拡大断面図である。
【図５】本発明における第２実施形態の隙間閉塞部材を適用した図１におけるＶ−Ｖ線の要部拡大横断面図である。
【図６】本発明における第３実施形態の隙間閉塞部材によるパネル体間の閉塞形態を示す要部拡大横断面図である。
【図７】隙間閉塞部材によるパネル体間の他の閉塞形態を示す要部拡大断面図である。
【図８】本発明における第４実施形態の隙間閉塞部材によるパネル体間の閉塞形態を示す要部拡大横断面図である。
【図９】隙間閉塞部材によるパネル体間の他の閉塞形態を示す要部拡大断面図である。
【図１０】本発明における第５実施形態の隙間閉塞部材によるパネル体間の閉塞形態を示す要部拡大横断面図である。
【図１１】隙間閉塞部材によるパネル体間の他の閉塞形態を示す要部拡大断面図である。
【図１２】本発明における第６実施形態の隙間閉塞部材によるパネル体間の閉塞形態を示す要部拡大横断面図である。
【符号の説明】
【００５０】
１    ワークステーション
２    机
３    間仕切パネル
４    パネル体
４ａ  端部
５    隙間閉塞部材
６    板状基片
７    把持片
７ａ  内側面
７ｂ  遊端
７ｃ  外側面
８    突起状係止部
９    パネル挿入空間
１０  突起状係止部
１１  隙間閉塞部材
１２  板状基片
１３  把持片
１３ａ  内側面
１３ｂ  遊端
１４  舌片状係止部
１４ａ  遊端
１５  パネル挿入空間
１６  隙間閉塞部材
１７  板状基片
１８  把持片
１８ａ  先端部
１９  部材
２０  基部
２１  パネル挿入空間
２２  突起状係止部
２３  隙間閉塞部材
２４  パネル挿入空間
２５  把持片
２５ａ  遊端
２６  舌片状係止部
２６ａ  遊端
２７  基部
２８  部材
２９  板状基片
３０  隙間閉塞部材
３１  部材
３２  板状基片
３３  把持片
３４  パネル挿入空間
ａ    隙間
Ｔ    パネル体の厚さ
Ｗ１  係止部間の幅
Ｗ２  把持片先端部間の幅
【図１】
2010090604.tif 000003
【図２】
2010090604.tif 000004
【図３】
2010090604.tif 000005
【図４】
2010090604.tif 000006
【図５】
2010090604.tif 000007
【図６】
2010090604.tif 000008
【図７】
2010090604.tif 000009
【図８】
2010090604.tif 000010
【図９】
2010090604.tif 000011
【図１０】
2010090604.tif 000012
【図１１】
2010090604.tif 000013
【図１２】
2010090604.tif 000014